(57)【要約】【課題】簡易な接続作業で排水の漏れを確実に防止できる排水用簡易接続部材を提供すること。【解決手段】洗濯機２などの排水ホース７や、洗面台および流し台などの排水口に連なる連結管と下流側の排水管とを接続する排水用簡易接続部材１０であって、上流側から前記排水ホース７の下流端７ａまたは前記連結管の下流端が差し込まれる差込穴１１ａを有する差込口部１１と、この差込口部１１の下流端に前記差込穴１１ａに連通するよう取り付けられるリング状取付部１５を有するとともに前記リング状取付部の下流側に筒状部１６を有し、更に、前記リング状取付部および筒状部間に下流側に向かって延びる簡易接続用の爪部１７が連設された外向きフランジ１８を有する上流側継手１２と、排水管６の入口部５ｂに外嵌した状態で取り付けられる下流側継手１３と、この下流側継手の外周面上を円周方向に沿って回転自在に摺動するよう取り付けられ、前記接続時において前記爪部が差し込まれる抜け止め用の係止孔部２２を有する抜け止め用リング体１４とを備え、前記筒状部１６は、前記下流側継手１３内に内嵌される。【選択図】　　　図２
2004076262.tif 000002
【特許請求の範囲】
【請求項１】
洗濯機などの排水ホースや、洗面台および流し台などの排水口に連なる連結管と下流側の排水管とを接続する排水用簡易接続部材であって、上流側から前記排水ホースの下流端または前記連結管の下流端が差し込まれる差込穴を有する差込口部と、この差込口部の下流端に前記差込穴に連通するよう取り付けられるリング状取付部を有するとともに前記リング状取付部の下流側に筒状部を有し、更に、前記リング状取付部および筒状部間に下流側に向かって延びる簡易接続用の爪部が連設された外向きフランジを有する上流側継手と、排水管の入口部に外嵌した状態で取り付けられる下流側継手と、この下流側継手の外周面上を円周方向に沿って回転自在に摺動するよう取り付けられ、前記接続時において前記爪部が差し込まれる抜け止め用の係止孔部を有する抜け止め用リング体とを備え、前記筒状部は、前記下流側継手内に内嵌されることを特徴とする排水用簡易接続部材。
【請求項２】
前記差込口部として、可撓性の樹脂で薄肉状に成形されたものを用いる一方、前記排水ホースが、山形部分と谷形部分とを軸線方向に交互に備えてなる下流端を有するフレキシブルパイプ、あるいは、山形部分と谷形部分とを軸線方向に交互に備えてなる下流端を有するフレキシブルパイプで構成される請求項１に記載の排水用簡易接続部材。
【請求項３】
前記差込口部として、可撓性の樹脂で薄肉状に成形されたものを用いる一方、前記連結管は、少なくとも前記下流端に外ねじを有する請求項１に記載の排水用簡易接続部材。
【発明の詳細な説明】
【０００１】
【発明の属する技術分野】
この発明は、洗濯機などの排水ホースや、洗面台および流し台などの排水口に連なる連結管と下流側の排水管とを接続する排水用簡易接続部材に関する。
【０００２】
【従来の技術および発明が解決しようとする課題】
例えばマンションなどにおいて床面の所定位置に置かれたパンに載置された洗濯機の排水ホースは、排水管に連通するようパンに設けた排水トラップの入口に差し込まれた状態でホースバンドで止めているだけなので、少しでも接続ミスがあると排水が漏れやすかった。
【０００３】
この発明は上述の事柄に留意してなされたもので、その目的は、簡易な接続作業で排水の漏れを確実に防止できる排水用簡易接続部材を提供することである。
【０００４】
【課題を解決するための手段】
上記目的を達成するために、この発明の排水用簡易接続部材は、洗濯機などの排水ホースや、洗面台および流し台などの排水口に連なる連結管と下流側の排水管とを接続する排水用簡易接続部材であって、上流側から前記排水ホースの下流端または前記連結管の下流端が差し込まれる差込穴を有する差込口部と、この差込口部の下流端に前記差込穴に連通するよう取り付けられるリング状取付部を有するとともに前記リング状取付部の下流側に筒状部を有し、更に、前記リング状取付部および筒状部間に下流側に向かって延びる簡易接続用の爪部が連設された外向きフランジを有する上流側継手と、排水管の入口部に外嵌した状態で取り付けられる下流側継手と、この下流側継手の外周面上を円周方向に沿って回転自在に摺動するよう取り付けられ、前記接続時において前記爪部が差し込まれる抜け止め用の係止孔部を有する抜け止め用リング体とを備え、前記筒状部は、前記下流側継手内に内嵌されることを特徴とする。
【０００５】
この発明においては、前記差込口部として、可撓性の樹脂で薄肉状に成形されたものを用いる一方、前記排水ホース７が、山形部分ａと谷形部分ｂとを軸線方向に交互に備えてなる下流端７ａを有するフレキシブルパイプ（図８参照）、あるいは、山形部分ａと谷形部分ｂとを軸線方向に交互に備えてなる下流端７ａを有するフレキシブルパイプ（図９参照）で構成されるのが好ましい。
【０００６】
また、この発明においては、前記差込口部として、可撓性の樹脂で薄肉状に成形されたものを用いる一方、前記連結管３２は、少なくとも前記下流端３２ａ（図１０参照）に外ねじ（図示せず）を有するのが好ましい。
【０００７】
【発明の実施の形態】
以下、この発明の実施の形態を、図を参照しながら説明する。
図１〜図９は、洗濯機の排水ホースに接続されたこの発明の第１の実施形態を示す。
【０００８】
図１〜図９において、１は、洗濯機２を載置する樹脂製の洗濯機用パンで、平面視がほぼ長方形状の底部３と枠部４とからなり、枠部４は、底部３の周縁から上方に向けて逆Ｕ字形状に折曲連設されている。前記底部３の適宜の位置には、排水トラップ設置用の孔が形成されている。排水トラップ５は、排水トラップ本体５ａと、この排水トラップ本体８ａの上部に設けられる入口部５ｂと、前記排水トラップ本体５ａの側壁に設けられた排出部５ｃとから構成されている。排水トラップ５の入口部５ｂは、エルボ形状を有する。排出部５ｃは、フレキシブルパイプ６を介して下水道に連通する排水管に接続されている。７は、洗濯機１の排水ホースである。この排水ホース７は、図８に示すように、山形部分ａと谷形部分ｂとを軸線方向に交互に備えてなるフレキシブルパイプである。なお、排水ホース７として、図９に示すように、山形部分ａと谷形部分ｂとを軸線方向に螺旋状に備えてなるフレキシブルパイプを用いてもよい。
【０００９】
以下この発明の特徴的構成について説明する。
【００１０】
１０は、排水ホース７と下流側の排水管６とを接続するための樹脂製の排水用簡易接続部材である。この排水用簡易接続部材１０は、差込口部１１と、上流側継手１２と、下流側継手１３と、抜け止め用リング体１４の四つの部品を主として備えている。
【００１１】
更に、差込口部１１として、可撓性の樹脂で薄肉状に成形されたものが用いられている。差込口部１１は、テーパ状で、下流側に行くほど口径が徐々に小さくなる緩やかな先細りの形状を有し、かつ、上流側から、山形部分ａと谷形部分ｂとを軸線方向に交互に形成されている前記排水ホース７の下流端７ａが差し込まれる差込穴１１ａを有する。差込口部１１は下流方向に沿って順次二つの段差７０および７１を有する。前記段差７０および７１は、異なる口径ｒの排水ホース７が差し込まれる領域を示す目安となるもので、段差７０によって区切られた上流域７０ａ内には、大きな口径ｒの下流端７ａが差し込まれる一方、段差７０および段差７１間の領域７１ａ内には、小さな口径ｒの下流端７ａが差し込まれるものである。
【００１２】
前記上流側継手１２は、差込口部１１の下流端に前記差込穴１１ａに連通するよう接着剤によって取り付けられるリング状取付部１５を有するとともに、前記取付部１５の下流側に筒状部１６を有し、更に、前記取付部１５および筒状部１６間に下流側に向かって延びる簡易接続用の一対の爪部１７，１７が連設されたリング状の外向きフランジ１８を有する。爪部１７，１７は、１８０°の円周角で位置している。
【００１３】
前記下流側継手１３は、上流端がリング状の内向きフランジ１９で形成され、前記入口部５ｂの上流側端面ｍと前記内向きフランジ１９とで排水の漏れ防止用のＯリング２０を挟みながら前記入口部５ｂに外嵌した状態で接着剤によって取り付けられ、排水ホース７と下流側の排水管６との接続時において前記筒状部１６が前記Ｏリング２０を介して内嵌される。
【００１４】
前記抜け止め用リング体１４は、下流側継手１３の外周面Ｍ上を円周方向に沿って回転自在に摺動するよう取り付けられ、前記接続時において前記爪部１７，１７が差し込まれる抜け止め用の係止孔部２２，２２を有する。
【００１５】
而して、上流側継手１２が接着剤によって取り付けられている差込口部１１の上流側から排水ホース７を差込穴１１ａを介して差込口部１１に差し込む。この差し込み状態では、テーパ状で、可撓性の樹脂で薄肉状に成形されたゴム状の差込口部１１に、排水ホース７の山形部分ａと谷形部分ｂが食い込むとともに、排水ホース７から排水した場合、排水ホース７から差込口部１１の側に排水が流れるので、差し込み部分から排水が漏れることはない。
【００１６】
続いて、上流側継手１２の筒状部１６を前記下流側継手１３内に内嵌する。すなわち、筒状部１６を内向きフランジ１９によって形成される孔１９ａに挿入し、外向きフランジ１８の下流面Ｓが内向きフランジ１９の上流面Ｆに当たるまで上流側継手１２を下流側継手１３に差し込む。このとき、抜け止め用の係止孔部２２，２２に爪部１７，１７が差し込まれる。
【００１７】
このように、接続作業がワンタッチで行えるので、作業性を向上できるとともに、接続ミスがなくなるので、排水漏れを確実に防止できる。
【００１８】
図１０は、洗面台３０の排水口３１に連なる連結管３２に接続されたこの発明の第２の実施形態を示す。なお、上記実施形態に示したものと同一構造の部材には、同じ符号を付し、その説明を省略する。
【００１９】
図１０において、差込口部１１に差し込む前記連結管３２には外ねじおよび内ねじが形成されている。すなわち、洗面台３０の排水口３１内には、外ねじを持つリング体が嵌込まれており、排水口３１の底側に突出している前記リング体に対して、底側からナット３３および連結管３２をこの順で螺合させてリング体を固定する。更に、このリング体の外ねじに螺合した連結管３２の下流端３２ａを差込口部１１上流側から差込口部１１内に差し込むのである。
【００２０】
この実施形態では、前記入口部５ｂとして、簡易トラップ４０のほぼＵ字形状をした水溜部を採用している。なお、４１は、水抜き用のキャップ、４２は、ほぼ逆Ｕ字形状をした簡易トラップ４０のコーナー部、４６は排水導入部、４７は排水管である。
【００２１】
【発明の効果】
以上説明したような構成からなるこの発明によって、簡易な接続作業で排水の漏れを確実に防止できる排水用簡易接続部材を提供することが可能となる。
【図面の簡単な説明】
【図１】洗濯機の排水ホースに接続されたこの発明の第１の実施形態を示す斜視図である。
【図２】上記実施形態を示す分解斜視図である。
【図３】上記実施形態で用いた上流側継手と下流側継手の接続前の状態を示す構成説明図である。
【図４】上記実施形態で用いた上流側継手と下流側継手の接続後の状態を示す構成説明図である。
【図５】（Ａ）は、上記実施形態で用いた上流側継手を示す背面図である。
（Ｂ）は、上記実施形態で用いた上流側継手を示す縦断面図である。
【図６】上記実施形態で用いた抜け止め用リング体を示す背面図である。
【図７】（Ａ）は、上記実施形態で用いた下流側継手を示す背面図である。（Ｂ）は、上記実施形態で用いた下流側継手を示す縦断面図である。
【図８】この発明に適用できる排水ホースを示す構成説明図である。
【図９】この発明に適用できる他の排水ホースを示す構成説明図である。
【図１０】
洗面台の排水口に連なる連結管に接続されたこの発明の第２の実施形態を示す斜視図である。
【符号の説明】
２…洗濯機、５ｂ…入口部、６…排水管、７…排水ホース、１０…排水用簡易接続部材、１１ａ…差込穴、１１…差込口部、１２…上流側継手、１３…下流側継手、１４…抜け止め用リング体、１５…リング状取付部、１６…筒状部、１７…簡易接続用の爪部、１８…外向きフランジ、２２…係止孔部。
【図１】
2004076262.tif 000003
【図２】
2004076262.tif 000004
【図３】
2004076262.tif 000005
【図４】
2004076262.tif 000006
【図５】
2004076262.tif 000007
【図６】
2004076262.tif 000008
【図７】
2004076262.tif 000009
【図８】
2004076262.tif 000010
【図９】
2004076262.tif 000011
【図１０】
2004076262.tif 000012